(57)【要約】【課題】照明装置を削減しても十分な光をダミーに照射することができ、したがってその照度を低下させることはなく、購入者に暗さを感じさせて購入意欲が低下することを防止することができる自動販売機を提供する。【解決手段】販売機本体１と、商品のダミー３を展示するための展示室２と、展示室２の前壁となる透明カバー４と、展示室２の後壁２ａに取付けられた反射板１２と、展示室２の幅方向にわたってダミー３が複数個並べられているダミー列５と、ダミー３のそれぞれに対応して設けられた複数個の購入ボタン６からなるボタン列７と、展示室２の幅方向にわたってボタン列７の後側に設けられた照明装置１０とを備え、ダミー列５とボタン列７とが販売機本体１の上下方向に交互に配され、照明装置１０は、上下方向に配されたボタン列７に対して１列おきに配設され、展示室２内に、反射板とは異なる角度の反射面を有する反射部材１４が設けられている。【選択図】図２
2013025531.tif 000002
【特許請求の範囲】
【請求項１】
販売すべき商品が収納された販売機本体と、
該販売機本体に形成され、前記商品のダミーを展示するための展示室と、
該展示室の前壁となる透明カバーと、
前記展示室の後壁に取付けられた光を反射させるための反射板と、
前記展示室の幅方向にわたって前記ダミーが複数個並べられているダミー列と、
該ダミー列の上側又は下側に取付けられ、前記ダミーのそれぞれに対応して設けられた複数個の購入ボタンからなるボタン列と、
前記展示室の幅方向にわたって前記ボタン列の後側に設けられた照明装置と
を備えた自動販売機において、
前記ダミー列と前記ボタン列とが前記販売機本体の上下方向に交互に配され、
前記照明装置は、前記上下方向に配された前記ボタン列に対して１列おきに配設され、
前記展示室内に、前記反射板とは異なる角度の反射面を有する反射部材が設けられていることを特徴とする自動販売機。
【請求項２】
前記反射部材は、前記照明装置と前記ボタン列との間、且つ前記展示室の幅方向にわたって配され、前記ボタン列から前記照明装置側に向けて凸となるように折れ曲がった一のみの屈曲部を有する板状体であり、前記照明装置から前記ボタン列に向けて照射される光を前記屈曲部を境にした前記板状体の反射面で前記照明装置の上方及び下方の前記反射板に向けて反射させることを特徴とする請求項１に記載の自動販売機。
【請求項３】
前記反射部材は、前記照明装置が後側に配設されたボタン列とは異なるボタン列の後側、且つ前記展示室の幅方向にわたって配され、前記展示室の後壁から前方に向けて凸となるように折れ曲がった一のみの屈曲部を有する板状体であり、前記照明装置から上方及び下方に向けて照射される光を前記屈曲部を境にした前記板状体の反射面で前記展示室の前側に向けて反射させることを特徴とする請求項１に記載の自動販売機。
【請求項４】
前記展示室の後壁には、前記展示室の幅方向にわたって切欠いた切欠きが形成され、
該切欠きは、後側に向けて凸となるように一のみの切欠き頂部を有する横断面が略三角形形状であり、且つ前記切欠き頂部を境にして上側及び下側に傾斜面を有し、
前記切欠き頂部は、前記上側の反射面に少なくとも前記照明装置から後側に照射されている光の照射面積の半分以上が照射される位置に配され、
前記反射部材は、少なくとも前記上側の傾斜面の全面に配され、
前記ダミー列の上端と前記ボタン列の下端との間隔は、前記ダミー列の下端と前記ボタン列の上端との間隔よりも広いことを特徴とする請求項１に記載の自動販売機。
【発明の詳細な説明】
【技術分野】
【０００１】
本発明は、商品のダミーが照明装置によって照らされている自動販売機に関するものである。
【背景技術】
【０００２】
特許文献１に記載されているように、従来の自動販売機には、商品のダミーが幅方向に複数個並べられたダミー列が形成され、このダミー列の下側にはそれぞれのダミーに対応した購入ボタンが設けられ、ボタン列が形成されている。これらダミー列とボタン列は自動販売機の上下方向に交互に並べられている。
【０００３】
ダミーは、ボタン列の裏側のスペースに取付けられた蛍光灯等の照明装置によって照らされ、その照度が保たれている。この照明装置は、ダミー列ごとに対応して設けられている。通常であれば、ダミーは、上下のボタン列の裏側に配された照明装置からの光を受けて、十分明るく照らされ、その照度のばらつきも少ない。
【０００４】
しかしながら、自動販売機についても省エネを検討する必要があり、その一環として照明装置の削減が検討されている。このため、照明装置を削減して対応することになるが、単純に削減しても、その照度の低下により従来の自動販売機に比べて暗く感じてしまう。購入者にこのような暗さを感じさせることは、購入意欲を低下させる結果を招く。
【先行技術文献】
【特許文献】
【０００５】
【特許文献１】特開平５−５４２５２号公報
【発明の概要】
【発明が解決しようとする課題】
【０００６】
本発明は、上記従来技術を考慮したものであって、照明装置を削減しても十分な光をダミーに照射することができ、したがってその照度を低下させることはなく、購入者に暗さを感じさせて購入意欲が低下することを防止することができる自動販売機を提供することを目的とする。
【課題を解決するための手段】
【０００７】
前記目的を達成するため、本発明では、販売すべき商品が収納された販売機本体と、該販売機本体に形成され、前記商品のダミーを展示するための展示室と、該展示室の前壁となる透明カバーと、前記展示室の後壁に取付けられた光を反射させるための反射板と、前記展示室の幅方向にわたって前記ダミーが複数個並べられているダミー列と、該ダミー列の上側又は下側に取付けられ、前記ダミーのそれぞれに対応して設けられた複数個の購入ボタンからなるボタン列と、前記展示室の幅方向にわたって前記ボタン列の後側に設けられた照明装置とを備えた自動販売機において、前記ダミー列と前記ボタン列とが前記販売機本体の上下方向に交互に配され、前記照明装置は、前記上下方向に配された前記ボタン列に対して１列おきに配設され、前記展示室内に、前記反射板とは異なる角度の反射面を有する反射部材が設けられていることを特徴とする自動販売機を提供する。
【０００８】
好ましくは、前記反射部材は、前記照明装置と前記ボタン列との間、且つ前記展示室の幅方向にわたって配され、前記ボタン列から前記照明装置側に向けて凸となるように折れ曲がった一のみの屈曲部を有する板状体であり、前記照明装置から前記ボタン列に向けて照射される光を前記屈曲部を境にした前記板状体の反射面で前記照明装置の上方及び下方の前記反射板に向けて反射させる。
【０００９】
好ましくは、前記反射部材は、前記照明装置が後側に配設されたボタン列とは異なるボタン列の後側、且つ前記展示室の幅方向にわたって配され、前記展示室の後壁から前方に向けて凸となるように折れ曲がった一のみの屈曲部を有する板状体であり、前記照明装置から上方及び下方に向けて照射される光を前記屈曲部を境にした前記板状体の反射面で前記展示室の前側に向けて反射させる。
【００１０】
好ましくは、前記展示室の後壁には、前記展示室の幅方向にわたって切欠いた切欠きが形成され、該切欠きは、後側に向けて凸となるように一のみの切欠き頂部を有する横断面が略三角形形状であり、且つ前記切欠き頂部を境にして上側及び下側に傾斜面を有し、前記切欠き頂部は、前記上側の反射面に少なくとも前記照明装置から後側に照射されている光の照射面積の半分以上が照射される位置に配され、前記反射部材は、少なくとも前記上側の傾斜面の全面に配され、前記ダミー列の上端と前記ボタン列の下端との間隔は、前記ダミー列の下端と前記ボタン列の上端との間隔よりも広い。
【発明の効果】
【００１１】
本発明によれば、照明装置をボタン列に対して１列おきに配設するので、各ボタン列に配設するよりも設置個数が半減し、消費電力を抑えることができる。また、展示室内に反射部材が設けられているため、この反射部材を利用して照明装置から発せられる光を反射させて効率よくダミー列に光を当てることができる。したがって、照明装置を削減しても十分な光をダミーに照射することができ、したがってその照度を低下させることはなく、購入者に暗さを感じさせて購入意欲が低下することを防止することができる。
【００１２】
好ましくは、反射部材は、照明装置とボタン列との間、且つ展示室の幅方向にわたって配され、ボタン列から照明装置側に向けて凸となるように折れ曲がった一のみの屈曲部を有する板状体である。これにより、照明装置からボタン列に向けて照射される光を屈曲部を境にした板状体の反射面で照明装置の上方及び下方の反射板に向けて反射させることができる。反射板に照射された光は、さらに反射し、ダミー列を照射する。したがって、照明装置からボタン列側に向けて照射される光を用いてダミー列を照らすことができ、照明装置から発せられる光を効率よく収集して利用することができる。
【００１３】
好ましくは、反射部材は、照明装置が後側に配設されたボタン列とは異なるボタン列の後側、且つ展示室の幅方向にわたって配され、展示室の後壁から前方に向けて凸となるように一のみの屈曲部を有する板状体である。これにより、照明装置から上方及び下方に向けて照射される光を屈曲部を境にした板状体の反射面で展示室の前側に向けて反射させることができる。すなわち、ダミー列を照射できる。したがって、照明装置から上下方向に向けて照射される光を用いてダミー列を照らすことができ、照明装置から発せられる光を効率よく収集して利用することができる。
【００１４】
好ましくは、反射部材は、少なくとも展示室後壁に設けた切欠きの上側の傾斜面に対して全面に配される。これにより、照明装置から後壁側に向けて照射される光を下方のダミー列に向けて反射させ、照射することができる。したがって、照明装置から後側に向けて照射される光を用いてダミー列を照らすことができ、照明装置から発せられる光を効率よく収集して利用することができる。特にこの構造は、ダミー列の上側に広告等のためのスペースを設けるため、ダミー列の上端とボタン列の下端との間隔をダミー列の下端とボタン列の上端との間隔よりも広く設計している販売機本体に適用する際に好適である。
【図面の簡単な説明】
【００１５】
【図１】本発明に係る自動販売機の概略正面図である。
【図２】本発明に係る自動販売機の概略断面図である。
【図３】本発明に係る別の自動販売機の概略断面図である。
【図４】本発明に係るさらに別の自動販売機の概略断面図である。
【発明を実施するための形態】
【００１６】
図１に示すように、本発明に係る自動販売機は、販売機本体１からなる。この販売機本体１には、内部に販売すべき商品が収納されている。販売機本体１の上部には展示室２が備わり、この展示室２には、商品のダミー３が展示されている。購入者からダミー３を視認できるように、展示室２は例えば透明樹脂製の透明カバー４でその前面を覆われている。すなわち、透明カバー４は展示室の前壁となっている。ダミー３は、展示室２の幅方向（左右方向）にわたって複数個並べられている。なお、図では５個のダミー３が並べられている。ダミー３は、このように並べられてダミー列５を形成している。ダミー列５を形成する各商品３には、それぞれに対応して購入ボタン６が割り当てられている。これら購入ボタン６はダミー３の下側に配されている。なお、ダミー３の上側に購入ボタン６を配してもよい。ダミー３と同様、購入ボタン６も展示室２の幅方向にわたって複数個並べられ、ボタン列７を形成している。このボタン列７と上述したダミー列５とは、販売機本体１の上下方向に対して交互に配されている。図１の例では、３列のダミー列５とボタン列７とが交互に配されている。なお、購入者は販売機本体１の前面に設けられた投入口８より硬貨を投入し、展示室２内から所望の商品を選択し、その商品のダミー３に対応した購入ボタン６を押す。これにより、所望の商品を取り出し口９から取り出すことができる。
【００１７】
ここで、図２を参照すれば明らかなように、展示室２には、購入者の購入意欲を向上させるため、ダミー３に光を照射するための照明装置１０が設けられている。この照明装置１０は、例えば蛍光灯であり、展示室２の幅方向にわたってボタン列７の後側に設けられている。具体的には、取付け部材１１を介して展示室２の後壁２ａに固定されている。この照明装置１０から前方に向けて斜め上方及び下方に発せられる光は、ダミー３を直接照射する。照明装置１０からの光を効率よく収集してダミー３に当てるため、展示室２の後壁２ａには光を反射するための反射板１２が貼り付けられている。これにより、照明装置１０から後方に向けて斜め上方及び下方に発せられる光は、反射板１２に反射されてダミー３を間接的に照射する。また、この照明装置１０は、上下方向に配されたボタン列７に対して１列おきに配設されている。これにより、各ボタン列７に照明装置１０を配設するよりも設置個数が半減し、消費電力を抑えることができる。
【００１８】
さらに、第１実施例となる図２の例では、展示室２内に、反射板１２とは異なる角度の反射面を有する第１の反射部材１４が設けられている。具体的には、第１の反射部材１４は、照明装置１０とボタン列７との間に配設され、且つ展示室２の幅方向にわたって配される。第１の反射部材１４は板状体であり、ボタン列７から照明装置１０側に向けて凸となるように折れ曲がった一のみの屈曲部１４ａを有する。屈曲部１４ａを境にした上下の面がそれぞれ上側及び下側反射面１４ｂ、１４ｃである。第１の反射部材１４の両端は購入ボタン６を支持する支持体１３に固定されている。この第１の反射部材１４により、照明装置１０からボタン列７に向けて照射される光（図２の矢印Ａ）を屈曲部１４ａを境にした反射面１４ｂ、１４ｃで照明装置の上方及び下方に位置する反射板１２に向けて反射させることができる（図２の矢印Ｂ）。反射板１２に照射された光は、さらに反射し（図２の矢印Ｃ）、ダミー列５を形成するダミー３のそれぞれを照射する。
【００１９】
したがって、照明装置１０からボタン列７側に向けて照射される光を用いてダミー列７を照らすことができ、照明装置１０から発せられる光を効率よく収集して利用することができる。換言すれば、照明装置１０からの光を間接的にダミー３に照射させることができる。この照明装置１０からボタン列７側に向けて照射される光は、従来ダミー３を直接又は間接に照らさない無駄な光だったが、このような第１の反射部材１４を用いることにより、その無駄を解消できる。このような照明装置１０からボタン列７側に向けて照射される光を利用することによりダミー３への光の照射量を高めることができ、結果として上述した照明装置１０の削減を実現できる。
【００２０】
第２実施例となる図３の例では、展示室２内に、反射板１２とは異なる角度の反射面を有する第２の反射部材１５が設けられている。この第２の反射部材１５は、ボタン列７のうち、照明装置１０が後側に配設されたボタン列とは異なるボタン列の後側、すなわち照明装置１０が後側に配設されていないボタン列７の後側に配されている。また、この第２の反射部材１５は、展示室２の幅方向にわたって配されている。第２の反射部材１５は板状体であり、展示室２の後壁から前方に向けて凸となるように折れ曲がった一のみの屈曲部１５ａを有する。屈曲部１５ａを境にした上下の面がそれぞれ上側及び下側反射面１５ｂ、１５ｃである。第２の反射部材１５は、その一端（図３では上側反射面１５ｂ）が折れ曲がって延び、この延びた部分が後壁２ａに固定される。なお、第２の反射部材１５の両端を後壁２ａに固定してもよい。この第２の反射部材１５により、照明装置１０から上方及び下方に向けて照射される光（図３の矢印Ｄ）を屈曲部１５ａを境にした反射面１５ｂ、１５ｃで展示室２の前側に向けて反射させることができる（図３の矢印Ｅ）。この矢印Ｅで示す反射光がダミー列５を形成するダミー３のそれぞれを照射する。
【００２１】
したがって、照明装置１０から上下方向に向けて照射される光を用いてダミー列５を照らすことができ、照明装置１０から発せられる光を効率よく収集して利用することができる。換言すれば、照明装置１０からの光を間接的にダミー３に照射させることができる。この照明装置１０から上下方向に向けて照射される光は、従来ダミー３を直接又は間接に照らさない無駄な光だったが、このような第２の反射部材１５を用いることにより、その無駄を解消できる。このような照明装置１０から上下方向に向けて照射される光を利用することによりダミー３への光の照射量を高めることができ、結果として上述した照明装置１０の削減を実現できる。その他については実施例１と同様である。
【００２２】
第３実施例となる図４の例では、展示室２内に、反射板１２とは異なる角度の反射面を有する第３の反射部材１６が設けられている。この第３の反射部材１６は、後壁２ａに設けられた切欠き１７に貼り付けられている。切欠き１７は、展示室２の幅方向にわたって切欠かれたものである。この切欠き１７は、後側に向けて凸となるように一のみの切欠き頂部１７ａを有し、したがって切欠き１７の横断面は略三角形形状である。また、横断面が略三角形形状であるため、切欠き１７は、切欠き頂部１７ａを境にして上側及び下側に傾斜面１７ｂ、１７ｃを有している。この傾斜面１７ｂ、１７ｃの全面に第３の反射部材１６は貼り付けられる。切欠き頂部１７ａは、上側の傾斜面１７ｂに少なくとも照明装置１０から後側に照射されている光の照射面積の半分以上が照射される位置に配される。すなわち、照明装置１０から後側に照射される光は、そのほとんどが上側の傾斜面１７ｂに照射されることになる。したがって、照明装置１０から後壁２ａ側に向けて照射される光（図４の矢印Ｆ）は第２の反射部材１６に反射され、照明装置１０の下方に位置するダミー列５に向かい（図４の矢印Ｇ）、このダミー列５のダミー３を照射する。
【００２３】
これにより、照明装置１０から後側に向けて照射される光を用いてダミー列５を照らすことができ、照明装置１０から発せられる光を効率よく収集して利用することができる。換言すれば、照明装置１０からの光を間接的にダミー３に照射させることができる。この照明装置１０から後側に向けて照射される光は、従来ダミー３を直接又は間接に照らさない無駄な光だったが、このような第３の反射部材１６を用いることにより、その無駄を解消できる。このような照明装置１０から上下方向に向けて照射される光を利用することによりダミー３への光の照射量を高めることができ、結果として上述した照明装置１０の削減を実現できる。なお、照明装置１０から下側へ反射光を発生させればよいため、図４では下側の傾斜面１７ｃにも第３の反射部材１６が貼り付けられた例を示しているが、少なくとも上側の傾斜面１７ｂに貼り付けられていればよい。
【００２４】
このような第３実施例のような構造は、特にダミー列５の上側に広告等のためのスペース１８、いわゆるＰＯＰ広告（Point of purchase advertising）のためのスペース１８が設けられている場合に好適である。このスペース１８は、ダミー列５の上端とボタン列７の下端との間隔を、ダミー列５の下端とボタン列７の上端との間隔よりも広くして設けられている。このように設計されている場合に、上述した構造の第３の反射部材１６を用いれば、スペース１８を超えて照明装置１０の反射光をダミー３に効率よく照射することができる。なお、ダミー列５の下側にＰＯＰ広告のためのスペースが設けられている場合には、上述した切欠き頂部１７ａを、下側の傾斜面１７ｃに少なくとも照明装置１０から後側に照射されている光の照射面積の半分以上が照射される位置に配すればよい。その他については実施例１と同様である。
【００２５】
上述した第１〜第３実施例は、それぞれ照明装置１０から発せられ、従来無駄とされてきた前方、上方及び下方、後方への光を効率よく収集してダミー３に照射させるためのものである。それぞれの実施例は照射装置１０から異なる方向へ発せられている光を利用するものであるので、組み合わせて利用すれば、さらなる効果を発揮できる。
【００２６】
以上より、本発明は、照明装置１０を削減しても十分な光をダミー３に照射することができ、したがってその照度を低下させることはなく、購入者に暗さを感じさせて購入意欲が低下することを防止することができる。
【符号の説明】
【００２７】
１  販売機本体
２  展示室
３  ダミー
４  透明カバー
５  ダミー列
６  購入ボタン
７  ボタン列
８  投入口
９  取り出し口
１０  照明装置
１１  取付け部材
１２  反射板
１３  支持体
１４  第１の反射部材
１５  第２の反射部材
１６  第３の反射部材
１７  切欠き
１８  スペース
【図１】
2013025531.tif 000003
【図２】
2013025531.tif 000004
【図３】
2013025531.tif 000005
【図４】
2013025531.tif 000006